(57)【要約】  【課題】  ノイズ漏れによる電子機器内のデータやり取りに乱れや通信不能といった不具合の発生を無くすことができ、しかも小型化を達成し得るシールド付き電気コネクタを提供する。  【解決手段】  レセプタクルコネクタＡにおけるシールド部材３０を、コネクタ嵌合部２を囲む完全シールド構成にすると共に、プラグコネクタＢにおけるシールド部材８０が、コネクタ嵌合部５４を囲む完全シールド構成にする。【選択図】  図３０
2006059589.tif 000002
【特許請求の範囲】
【請求項１】
一方及び他方のコネクタを備え、前記一方のコネクタは、そのコネクタハウジングにコネクタ嵌合部を形成していて、当該コネクタ嵌合部に複数の接触端子を有し且つ前記コネクタハウジングにシールド部材を有しており、前記他方のコネクタは、そのコネクタハウジングに相手コネクタ嵌合部を形成していて、当該相手コネクタ嵌合部に複数の相手接触端子を有し且つ前記コネクタハウジングに相手シールド部材を有しており、
前記一方及び他方のコネクタが、前記コネクタ嵌合部を前記相手コネクタ嵌合部に嵌合させて結合した際に、前記接触端子と前記相手接触端子及び前記シールド部材と前記相手シールド部材のそれぞれを互いに接触導通させるようにしたシールド付き電気コネクタであって、
前記シールド部材は、前記コネクタ嵌合部の外周を囲むシールド構成であり、前記相手シールド部材は、前記相手コネクタ嵌合部の外周を囲むシールド構成であることを特徴とするシールド付き電気コネクタ。
【請求項２】
前記シールド部材は、前記コネクタ嵌合部をコネクタ短手方向の両側方から覆う側面側シールドと、前記コネクタ嵌合部をコネクタ長手方向の両端方から覆い且つ前記側面側シールドに導通する端側シールドとで構成してあり、
前記相手シールド部材は、前記相手コネクタ嵌合部をコネクタ短手方向の両側方から覆う相手側面側シールドと、前記相手コネクタ嵌合部をコネクタ長手方向の両端方から覆い且つ前記相手側面側シールドに導通する相手端側シールドとで構成してあることを特徴とする請求項１に記載のシールド付き電気コネクタ。
【請求項３】
前記一方のコネクタは、前記コネクタハウジングのコネクタ短手方向の両側面部に側面側シールド装着部を形成しており、前記コネクタハウジングのコネクタ短手方向の両端面部と前記コネクタ嵌合部との間に端側シールド装着部を形成していて、前記側面側シールド装着部に前記側面側シールドを装着すると共に、前記端側シールド装着部に前記端側シールドを装着し、
前記他方のコネクタは、前記コネクタハウジングのコネクタ短手方向の両側面部に相手側面側シールド装着部を形成しており、前記コネクタハウジングのコネクタ短手方向の両端面部と前記相手コネクタ嵌合部との間に相手端側シールド装着部を形成していて、前記相手側面側シールド装着部に前記相手側面側シールドを装着すると共に、前記相手端側シールド装着部に前記相手端側シールドを装着したことを特徴とする請求項２に記載のシールド付き電気コネクタ。
【請求項４】
前記シールド部材と前記相手シールド部材との接触を、前記側面側シールドと前記相手側面側シールドとの接触及び前記端側シールドと前記相手端側シールドとの接触で行い、前記側面側シールドと前記相手側面側シールドのいずれか一方及び前記端側シールドと前記相手端側シールドのいずれか一方に突起部を設けると共に、他方に穴状部に設けて、前記接触の際に、前記突起部が前記穴状部に挿入されることでクリック感を発生させる構成にしたことを特徴とする請求項３に記載のシールド付き電気コネクタ。
【請求項５】
前記端側シールド装着部は、コネクタ短手方向に沿う端側シールド挿入溝部を有しており、前記側面側シールド装着部は、コネクタ長手方向に沿う側面シールド溝部を有していて、前記コネクタハウジングに、前記端側シールド挿入溝部に前記側面シールド溝部を連ねる一方の連絡部を形成し、前記端側シールドは一方の接点部を有し、前記側面側シールドは一方の接点接触部を有していて、
前記端側シールドを前記端側シールド挿入溝部に挿入して、前記一方の接点部を前記一方の連絡部から前記側面シールド溝部側に表出させ、前記側面側シールドを前記側面シールド溝部に装着して前記一方の接点接触部に前記一方の接点部を接触させ、
前記相手端側シールド装着部は、コネクタ短手方向に沿う相手端側シールド挿入溝部を有し、前記コネクタハウジングに、前記相手端側シールド挿入溝部を前記相手側面側シールド装着部に連ねる他方の連絡部を設け、前記相手端側シールドは他方の接点部を有し、前記相手側面側シールドは他方の接点接触部を有しており、
前記相手端側シールドを前記相手端側シールド挿入溝部に挿入して、前記他方の接点部を前記他方の連絡部から前記相手側面側シールド装着部側に表出させ、前記相手側面側シールドを前記相手側面側シールド装着部に装着して前記他方の接点接触部に前記他方の接点部を接触させるようにしたことを特徴とする請求項４に記載のシールド付き電気コネクタ。
【請求項６】
前記コネクタ嵌合部及び前記相手コネクタ嵌合部のそれぞれに誘込みガイド部を設けて、前記コネクタ嵌合部の前記相手コネクタ嵌合部への嵌合の際に、前記誘込みガイド部を互いに接触させて前記コネクタ嵌合部の前記相手コネクタ嵌合部への嵌合を誘導するようにしたことを特徴とする請求項１乃至請求項５のいずれかの一に記載のシールド付き電気コネクタ。
【請求項７】
前記相手コネクタ嵌合部に多数の端子装着溝部を形成して、これらの端子装着溝部の両側壁面の基部にモールドストッパ部を突設して端子把持構造とし、
前記相手接触端子は、取付部と、この取付部の端側の端子リード部と、この端子リード部とは反対側に屈曲された固定部と、この固定部の先側から折り返しを行う屈曲連結部と、この屈曲連結部の先側に形成された接触部とから構成してあり、前記接触部の幅寸法Ｌ１は前記屈曲連結部の幅寸法Ｌ２より大きくしてあり、前記固定部の幅寸法Ｌ３は前記接触部の幅寸法Ｌ１より小さく、且つ前記屈曲連結部の幅寸法Ｌ２より大きくしてあり、
前記相手接触端子を前記端子装着部に装着して、前記固定部を前記モールドストッパ部で押えて固定するようにしたことを特徴とする請求項１乃至請求項６のいずれかの一に記載のシールド付き電気コネクタ。
【発明の詳細な説明】
【技術分野】
【０００１】
本発明は、それぞれが互いに異なるプリント配線基板に実装され、これらプリント配線基板を互いに接続する2つのコネクタ（レセプタクルコネクタとプラグコネクタ）のそれぞれにシールドを施したシールド付き電気コネクタに関する。
【背景技術】
【０００２】
従来から、板状のプリント配線基板同士を互いに接続する電気コネクタが広く使われている。この電気コネクタは、互いに異なるプリント配線基板に実装され、互いに結合するレセプタクルコネクタとプラグコネクタを備えており、これらレセプタクルコネクタとプラグコネクタを結合させることによりプリント配線基板同士が接続される。
【０００３】
レセプタクルコネクタとプラグコネクタは、それぞれコネクタハウジングにコネクタ嵌合部を有していて、コネクタ嵌合部には複数の接触端子が所定のピッチに配列してある。通常、レセプタクルコネクタのコネクタハウジングに配列された接触端子はばね性をもっており、レセプタクルコネクタとプラグコネクタが結合されると、それぞれのコネクタハウジングに配列された接触端子同士は、このばね性により所定の圧力で接触して電気的に接続される。
【０００４】
上記したレセプタクルコネクタとプラグコネクタはいずれもシールド付きコネクタであって、それぞれのコネクタハウジングがシールド部材に装着している。
【０００５】
レセプタクルコネクタにおけるシールド部材は、図３４に示すように、コネクタハウジング（図示せず）のコネクタ短手方向の両側面に沿わせるようにして装着された側面側シールド板１００と、コネクタハウジングのコネクタ長手方向の両端面部に配置された端側シールド板１０１とで構成してあり、この端側シールド板１０１は側面側シールド板１００に導通していない非接触シールドである。
【０００６】
また、プラグコネクタにおけるシールド部材は、特許文献１に述べられていて、図３４に示すように、コネクタハウジング（図示せず）のコネクタ短手方向の両側面に沿わせるようにして装着された側面側シールド板１０２と、コネクタハウジングのコネクタ長手方向の両端面部に配置された端側シールド板１０３とで構成してあり、端側シールド板１０３は、その両端部が屈曲していて、これらの屈曲部１０４に接点部１０５を有しており、これらの接点部１０５を側面側シールド板１０２に接触させて側面側シールド板１０２と端側シールド板１０３とは導通している。
【０００７】
また、側面側シールド板１００、１０２のそれぞれをコネクタハウジングの両側面に装着するのに、側面側シールド板１００、１０２に逆Ｕ字形状に接触舌部を設けて、これらの接触舌部をコネクタハウジングの両側面に引っ掛けることで行われおり、接触舌部をコネクタハウジングに接触されるために側面側シールド板１００、１０２に突起（図示せず）を設けていて、この突起をコネクタハウジングに押し付ける弾性力を得るために、側面側シールド板１００、１０２に、突起の近傍に位置させて窓部（図示せず）を設けるようにしている。
【特許文献１】特開平１１−２３３２０１号公報
【発明の開示】
【発明が解決しようとする課題】
【０００８】
しかしながら、レセプタクルコネクタにおけるシールド部材は側面側シールド板１００と端側シールド板１０１は非導通であって、側面側シールド板１００と端側シールド板１０１との間には非シールド部が存在している。従って、レセプタクルコネクタがプラグコネクタに結合した際、プラグコネクタのシールド部材がレセプタクルコネクタのシールド部材の外を囲むようになっても、非シールド部があり、しかも、側面側シールド板１００には複数の窓部があるために、ノイズ漏れによる電子機器内のデータやり取りに乱れや通信不能といった不具合が発生し、昨今の信号高速化により、この不具合がより顕著に現れるという問題があった。
【０００９】
また、プラグコネクタにおけるシールド部材において、その端側シールド板１０３はコネクタハウジングの端面部に近づけて設けてあるが、この端面部とコネクタ嵌合部との間は多少のスペースがあり、このスペースの有効利用がされておらず、シールド付き電気コネクタの小型化の障害になるという問題があった。
【００１０】
本発明は、かかる従来の問題を改善するためになされたもので、その目的とするところは、ノイズ漏れによる電子機器内のデータやり取りに乱れや通信不能といった不具合の発生を無くすことができ、しかも小型化を達成し得るシールド付き電気コネクタを提供することである。
【課題を解決するための手段】
【００１１】
上記の目的を達成するために、本発明に係るシールド付き電気コネクタは、一方及び他方のコネクタを備え、一方のコネクタは、そのコネクタハウジングにコネクタ嵌合部を形成していて、当該コネクタ嵌合部に複数の接触端子を有し且つコネクタハウジングにシールド部材を有しており、他方のコネクタは、そのコネクタハウジングに相手コネクタ嵌合部を形成していて、当該相手コネクタ嵌合部に複数の相手接触端子を有し且つコネクタハウジングに相手シールド部材を有しており、一方及び他方のコネクタが、コネクタ嵌合部を相手コネクタ嵌合部に嵌合させて結合した際に、接触端子と相手接触端子及びシールド部材と相手シールド部材のそれぞれを互いに接触導通させるようにしたシールド付き電気コネクタであって、シールド部材は、コネクタ嵌合部の外周を囲むシールド構成であり、相手シールド部材は、相手コネクタ嵌合部の外周を囲むシールド構成であることを特徴とする。
【００１２】
かかる構成により、シールド部材がコネクタ嵌合部の外周を囲む完全シールド構成であり、相手シールド部材が相手コネクタ嵌合部の外周を囲む完全シールド構成であるために、一方及び他方のコネクタが、コネクタ嵌合部を相手コネクタ嵌合部に嵌合させて結合した際に、シールドが二重構造になって、ノイズ漏れによる電子機器内のデータやり取りに乱れや通信不能といった不具合の発生を無くすことができる。
【００１３】
また、本発明のシールド付き電気コネクタは、上記した本発明のシールド付き電気コネクタにおいて、シールド部材は、コネクタ嵌合部をコネクタ短手方向の両側方から覆う側面側シールドと、コネクタ嵌合部をコネクタ長手方向の両端方から覆い且つ側面側シールドに導通する端側シールドとで構成してあり、相手シールド部材は、相手コネクタ嵌合部をコネクタ短手方向の両側方から覆う相手側面側シールドと、相手コネクタ嵌合部をコネクタ長手方向の両端方から覆い且つ相手側面側シールドに導通する相手端側シールドとで構成してあることを特徴とする。
【００１４】
かかる構成により、コネクタ嵌合部が側面側シールドと端側シールドとでシールドされ、相手コネクタ嵌合部が相手側面側シールドと相手端側シールドとでシールドされ、一方及び他方のコネクタが、コネクタ嵌合部を相手コネクタ嵌合部に互いに嵌合させて結合した際に、シールドが二重構造になって、ノイズ漏れによる電子機器内のデータやり取りに乱れや通信不能といった不具合の発生を無くすことができる。
【００１５】
また、本発明のシールド付き電気コネクタは、上記した本発明のシールド付き電気コネクタにおいて、一方のコネクタは、コネクタハウジングのコネクタ短手方向の両側面部に側面側シールド装着部を形成しており、コネクタハウジングのコネクタ短手方向の両端面部とコネクタ嵌合部との間に端側シールド装着部を形成していて、側面側シールド装着部に側面側シールドを装着すると共に、端側シールド装着部に端側シールドを装着し、他方のコネクタは、コネクタハウジングのコネクタ短手方向の両側面部に相手側面側シールド装着部を形成しており、コネクタハウジングのコネクタ短手方向の両端面部と相手コネクタ嵌合部との間に相手端側シールド装着部を形成していて、相手側面側シールド装着部に相手側面側シールドを装着すると共に、相手端側シールド装着部に相手端側シールドを装着したことを特徴とする。
【００１６】
かかる構成により、一方のコネクタにおいて、コネクタハウジングのコネクタ短手方向の両端面部とコネクタ嵌合部との間に端側シールド装着部が形成してあって、この端側シールド装着部に端側シールドが装着してあり、また、他方のコネクタにおいて、コネクタハウジングのコネクタ短手方向の両端面部と相手コネクタ嵌合部との間に相手端側シールド装着部が形成してあって、この相手端側シールド装着部に相手端側シールドが装着してあるために、スペースの有効利用が可能になって、シールド付き電気コネクタの小型化に寄与することができる。
【００１７】
また、本発明のシールド付き電気コネクタは、上記した本発明のシールド付き電気コネクタにおいて、シールド部材と相手シールド部材との接触を、側面側シールドと相手側面側シールドとの接触及び端側シールドと相手端側シールドとの接触で行い、側面側シールドと相手側面側シールドのいずれか一方及び端側シールドと相手端側シールドのいずれか一方に突起部を設けると共に、他方に穴状部に設けて、接触の際に突起部が穴状部に挿入されることでクリック感を発生させる構成にしたことを特徴とする。
【００１８】
かかる構成により、一方及び他方のコネクタが、コネクタ嵌合部を相手コネクタ嵌合部に嵌合させて結合した際に、シールド部材同士のそれぞれが互いに接触するが、この際、突起部が穴状部に挿入されることでクリック感が発生して、このクリック感が作業者に伝わり、シールド部材が相手シールド部材に接触したことを確認することができる。
【００１９】
また、本発明のシールド付き電気コネクタは、上記した本発明のシールド付き電気コネクタにおいて、端側シールド装着部は、コネクタ短手方向に沿う端側シールド挿入溝部を有しており、側面側シールド装着部は、コネクタ長手方向に沿う側面シールド溝部を有していて、コネクタハウジングに、側面シールド溝部を側面シールド挿入溝部に連ねる一方の連絡部を形成し、端側シールドは一方の接点部を有し、側面側シールドは一方の接点接触部を有していて、端側シールドを端側シールド挿入溝部に挿入して、一方の接点部を一方の連絡部から側面シールド溝部側に表出させ、側面側シールドを側面シールド溝部に装着して一方の接点接触部に一方の接点部を接触させ、相手端側シールド装着部は、コネクタ短手方向に沿う相手端側シールド挿入溝部を有し、コネクタハウジングに、相手端側シールド挿入溝部を相手側面側シールド装着部に連ねる他方の連絡部を設け、相手端側シールドは他方の接点部を有し、相手側面側シールドは他方の接点接触部を有しており、相手端側シールドを相手端側シールド挿入溝部に挿入して、他方の接点部を他方の連絡部か相手側面側シールド装着部側に表出させ、相手側面側シールドを相手側面側シールド装着部に装着して他方の接点接触部に他方の接点部を接触させるようにしたことを特徴とする。
【００２０】
かかる構成により、一方のコネクタにおけるシールド部材を、コネクタ嵌合部を囲む完全シールド構成にすることができるし、また、他方のコネクタにおける相手シールド部材を、相手コネクタ嵌合部を囲む完全シールド構成にすることができる。
【００２１】
また、本発明のシールド付き電気コネクタは、上記した本発明のシールド付き電気コネクタにおいて、コネクタ嵌合部及び相手コネクタ嵌合部のそれぞれに誘込みガイド部を設けて、コネクタ嵌合部の相手コネクタ嵌合部への嵌合の際に、誘込みガイド部を互いに接触させてコネクタ嵌合部の相手コネクタ嵌合部への嵌合を誘導するようにしたことを特徴とする。
【００２２】
かかる構成により、コネクタ嵌合部が相手コネクタ嵌合部に嵌合する際、コネクタ嵌合部の誘込みガイド部が、相手コネクタ嵌合部の誘込みガイド部に接触してコネクタ嵌合部の相手コネクタ嵌合部への嵌合を誘導して一方のコネクタと他方のコネクタのセンターずれを修正するようになる。
【００２３】
また、本発明のシールド付き電気コネクタは、上記した本発明のシールド付き電気コネクタにおいて、相手コネクタ嵌合部に多数の端子装着溝部を形成して、これらの端子装着溝部の両側壁面の基部にモールドストッパ部を突設して端子把持構造とし、相手接触端子は、取付部と、この取付部の端側の端子リード部と、この端子リード部とは反対側に屈曲された固定部と、この固定部の先側から折り返しを行う屈曲連結部と、この屈曲連結部の先側に形成された接触部とから構成してあり、接触部の幅寸法Ｌ１は屈曲連結部の幅寸法Ｌ２より大きくしてあり、固定部の幅寸法Ｌ３は接触部の幅寸法Ｌ１より小さく、且つ屈曲連結部の幅寸法Ｌ２より大きくしてあり、相手接触端子を端子装着部に装着して、固定部をモールドストッパ部で押えて固定するようにしたことを特徴とする。
【００２４】
かかる構成により、固定部の幅寸法Ｌ３が、接触部の幅寸法Ｌ１より小さくしてあるために、接触端子間のピッチＰが、例えば、０．４ｍｍの狭ピッチである場合でも、隣り合う端子装着溝部間のモールド部を広く取ることができて、このモールド部のクラックの発生を防止することができる。
【発明の効果】
【００２５】
本発明に係るシールド付き電気コネクタによれば、シールド部材がコネクタ嵌合部の外周を囲む完全シールド構成であり、相手シールド部材が相手コネクタ嵌合部の外周を囲む完全シールド構成であるために、一方及び他方のコネクタが、コネクタ嵌合部を相手コネクタ嵌合部に嵌合させて結合した際に、シールドが二重構造になって、ノイズ漏れによる電子機器内のデータやり取りに乱れや通信不能といった不具合の発生を無くすことができる。
【００２６】
また、本発明に係るシールド付き電気コネクタによれば、一方のコネクタにおいて、コネクタハウジングのコネクタ短手方向の両端面部とコネクタ嵌合部との間に端側シールド装着部が形成してあって、この端側シールド装着部に端側シールドが装着してあり、また、他方のコネクタにおいて、コネクタハウジングのコネクタ短手方向の両端面部と相手コネクタ嵌合部との間に相手端側シールド装着部が形成してあって、この相手端側シールド装着部に相手端側シールドが装着してあるために、スペースの有効利用が可能になって、シールド付き電気コネクタの小型化に寄与することができる。
【００２７】
また、本発明に係るシールド付き電気コネクタによれば、コネクタ嵌合部が相手コネクタ嵌合部に嵌合する際、コネクタ嵌合部の誘込みガイド部が、相手コネクタ嵌合部の誘込みガイド部に接触してコネクタ嵌合部の相手コネクタ嵌合部への嵌合を誘導して一方のコネクタと他方のコネクタのセンターずれを修正するようになる。
【００２８】
また、本発明のシールド付き電気コネクタによれば、固定部の幅寸法Ｌ３が、接触部の幅寸法Ｌ１より小さくしてあるために、接触端子間のピッチＰが、例えば、０．４ｍｍの狭ピッチである場合でも、隣り合う端子装着溝部間のモールド部を広く取ることができて、このモールド部のクラックの発生を防止することができる。
【発明を実施するための最良の形態】
【００２９】
本発明の実施の形態を、図面を参照して詳述する。
【００３０】
本発明に係る電気コネクタとしての一方のコネクタであるレセプタクルコネクタＡは、図１乃至図９に示すように、コネクタハウジング１と、このコネクタハウジング１のコネクタ嵌合部２に設けた端子装着部９に装着された多数の接触端子２９と、シールド部材３０とから構成してある。
【００３１】
すなわち、コネクタハウジング１は、コネクタ短手方向の両側壁部３、４とコネクタ長手方向の両端壁部６、７とからなる凸部構成であり、両側壁部３、４と両端壁部６、７とで囲まれた空間部５と、両側壁部３、４及び両端壁部６、７のそれぞれの外面とで相手コネクタ嵌合部２が構成してある。そして、両側壁部３、４及び両端壁部６、７のそれぞれの外面側の辺縁部は面取りが施されていて、誘込みガイド部２Ａにしてある。
【００３２】
そして、図８に示すように、両側壁部３、４の内面部にはコネクタ長手方向に所定のピッチをおいて多数の仕切り部８が突設してあり、隣り合う仕切り部８間の空間部が端子装着部９にしてある。コネクタハウジング１には、端子装着部９の底部分に連絡する端子挿入口１０が形成してある。
【００３３】
コネクタハウジング１の表面には、コネクタ長手方向の両端側には、コネクタ嵌合部２の端部に近づけて端側シールド装着部１２が形成してあり、これらの端側シールド装着部１２は、図６に示すように、平面コ字形状の第１の端側シールド挿入溝部１３と、この第１の端側シールド挿入溝部１３に直交する第２の端側シールド挿入溝部１４とで構成してある。そして、図９に示すように、第１の端側シールド挿入溝部１３のコネクタ短手方向の両側面部には挿入溝部１３ａが形成してある。また、第１の端側シールド挿入溝部１３の中央には圧入部１３ｂが形成してある。
【００３４】
また、コネクタハウジング１の両側面には、側面側シールド装着部１５が形成してある。これらの側面側シールド装着部１５は、図７に示すように、コネクタ長手方向に沿う直線状の側面シールド溝部１６を有しており、この側面シールド溝部１６の中央部には、この側面シールド溝部１６に直交する係止片挿入溝部１７が形成してあり、コネクタハウジング１の両側面には、係止片挿入溝部１７を跨ぐようにして係止部１８が形成してあり、また、側面シールド溝部１６に直交するようにして複数の挿入溝部１９が形成してある。
【００３５】
また、コネクタハウジング１の両側面には、図９に示すように、側面シールド溝部１６の端側シールド装着部１２側に位置させて側面シールド溝部１６を挿入溝部１３ａに連ねる連絡部（一方の連絡部）２０が形成してある。これらの連絡部２０は、コネクタハウジング１の裏側に形成された溝部２１と、この溝部２１を挿入溝部１３ａに連らねる挿入孔部２２とで構成してある。
【００３６】
接触端子２９は、図４に示すように、取付部（圧入部）２３と、この取付部２３の端側の端子リード部２４と、取付部２３の端子リード部２４とは反対側に１８０度の折り返しを行う屈曲連結部２５を介して連結された弾性付与部２６と、この弾性付与部２６の先側に形成された接触部２７とを有している。
【００３７】
そして、接触端子２９は、コネクタハウジング１の各端子挿入口１０から挿入されて端子装着部９に装着（圧入）してある。すなわち、接触端子１２は、その取付部１３を端子装着部９の仕切り部８間に圧入状態で挿入し、端子リード部２４を端子挿入口１０から外方に突出させ、接触部２７をコネクタ嵌合部２の中心側に向けている。
【００３８】
シールド部材３０は端側シールド３１と側面側シールド４０とで構成してある。
【００３９】
端側シールド３１は、図１０及び図１１に示すように、平面コ字形状の主シールド部３２を有しており、この主シールド部３２の両側の屈曲部３３の外面部には接点部（一方の接触点）３４が設けてある。また、主シールド部３２の中央部には圧入脚部３５が形成してあり、また、主シールド部３２の中央部には湾曲して圧入脚部３５に平行するシールド接触片部３６が連ねてあり、このシールド接触片部３６の外面部に突起部３７が突設してある。また、シールド接触片部３６の先側にはシールド端子３７Ａが形成してある。
【００４０】
側面側シールド４０は帯状の主シールド部４１を有しており、この主シールド部４１の中央部には、図１２に示すように、この主シールド部４１に直交する係止片部４２が形成してあり、また、主シールド部４１の係止片部４２を挟んだ両側に、この主シールド部４１に直交するようにして舌片部４３が形成してある。また、主シールド部４１には、舌片部４３の軸線上に位置させて穴状部４４が設けてある。
【００４１】
また、主シールド部４１の両端側には、図１４に示すようにＵ字形状に屈曲したシールド接触片部４５が形成してあり、これらシールド接触片部４５の外面部に接点接触部（一方の接点接触部）４６が形成してある。また、主シールド部４１の両端側には、シールド端子４７が主シールド部４１の面部に対して直角に形成して設けてある。
【００４２】
そして、図１乃至図３に示すように、コネクタハウジング１の端側シールド装着部１２には端側シールド３１が装着してある。すなわち、主シールド部３２を第１の端側シールド挿入溝部１３に挿入し、圧入脚部３５を圧入部１３ｂに圧入する。この状態では、主シールド部３２の両側の屈曲部３３の接点部３４は第１の端側シールド挿入溝部１３の両側面部の挿入溝部１３ａに対向するようになる。そして、シールド端子３７Ａとシールド接触片部３６とが第２の端側シールド挿入溝部１４に挿入してあって、シールド端子３７Ａは外方に突出している。
【００４３】
また、図２に示すように、コネクタハウジング１の側面側シールド装着部１５には側面側シールド４０が装着してある。すなわち、側面側シールド装着部１５の側面シールド溝部１６には側面側シールド４０の主シールド部４１が挿入してあって、係止片部４２は係止片挿入溝部１７に挿入されていて、係止部１８に係止してあり、また、主シールド部４１の舌片部４３が挿入溝部１９に挿入してある。
【００４４】
また、図５に示すように、側面シールド溝部１６の連絡部２０には、主シールド部４１の両端側のシールド接触片部４５が挿入してある。すなわち、これらシールド接触片部４５は、連絡部２０の溝部２１から挿入孔部２２を経て端側シールド装着部１２の挿入溝部１３ａに挿入してあって、シールド接触片部４５の接点接触部４６には、端側シールド３１の接点部３４が接触しており、この接点部３４と接点接触部３４との接触点イは、図３１に示すように四カ所あって、これらの接触点イで端側シールド３１と側面側シールド４０とは導通していて、一対の端側シールド３１と一対の側面側シールド４０とでコネクタ嵌合部２は囲まれている。
【００４５】
上記のように構成されたレセプタクルコネクタＡは、そのコネクタハウジング１の底部に設けられた位置決め用ピンを、プリント配線基板の位置決め用孔（いずれも図示せず）に挿入し、各接触端子２９の端子リード部２４を、プリント配線基板の接点パターン部（図示せず）に載せたクリーム半田に接触させて、リフローにより端子リード部２４が接点パターン部に半田付けされ、また、一対の端側シールド３１と一対の側面側シールド４０とは、それぞれのシールド端子３７Ａ、４７を、プリント配線基板のシールドパターン部（図示せず）に載せたクリーム半田に接触させて、リフローによりシールド端子３７Ａ、４７がシールドパターン部に半田付けされる。
【００４６】
他方のコネクタであるプラグコネクタＢは、図１５乃至図１７に示すように、コネクタハウジング５１と、このコネクタハウジング５１のコネクタ嵌合部（相手コネクタ嵌合部）５４に設けた多数の接触端子（相手接触端子）７０と、シールド部材（相手シールド部材）８０とから構成してある。
【００４７】
すなわち、コネクタハウジング５１には、図１８に示すように、コネクタ長手方向に沿う凹部５２と、凹部５２の中央に位置する端子装着部５３とが形成してあり、これら凹部５２と端子装着部５３とでコネクタ嵌合部５４を構成している。凹部５２の内面側の辺縁部は面取りが施されていて誘込みガイド部５４Ａにしてある。そして、図２２に示すように、端子装着部５３の両側面部にはコネクタ長手方向に所定のピッチをおいて多数の端子装着溝部５５が形成してある。
【００４８】
これらの端子装着溝部５５において、図２９に示すように、その両方の側壁面５５ａ、５５ｂの基部にはモールドストッパ部５５Ａが突設してあって、これらモールドストッパ部５５Ａは互いに対向していて、端子装着溝部５５の基部は、その両方の側壁面５５ａ、５５ｂと、その端面部５５ｃと、一対のモールドストッパ部５５Ａとで端子把持構造をしている。また、図２２に示すように、コネクタハウジング５１の底部分には端子装着溝部５５に連なる端子挿入口５６が形成してある。
【００４９】
また、コネクタハウジング５１の表面には、図２０に示すように、コネクタ長手方向の両端側には、コネクタ嵌合部５４の端部に近づけて端側シールド装着部（相手端側シールド装着部）５７が形成してあり、これらの端側シールド装着部５７は、平面コ字形状の第１の端側シールド挿入溝部（相手端側シールド挿入溝部）５８と、この第１の端側シールド挿入溝部５８に直交する第２の端側シールド挿入溝部（相手端側シールド挿入溝部）５９とで構成してある。そして、第１の端側シールド挿入溝部５８は、そのコネクタ短手方向の両端でコネクタハウジング５１の側面側シールド装着部（相手側面側シールド装着部）６０に抜けていて、この端側シールド挿入溝部５８の両端部５８ａが他方の連絡部を構成している。
【００５０】
これらの側面側シールド装着部６０は、図２１に示すように、コネクタハウジング５１の両側面部５１ａのコネクタ長手方向の両端部に突設されたシールド部材受け部６１と、コネクタハウジング５１の両側面部５１ａの辺縁部に形成されたシールド接触片取付部６２とで構成してある。これらのシールド接触片取付部６２は、図２２に示すように、側面部５１ａの辺縁部に形成された切欠き部６３と側面部５１ａの内面に形成された溝部６４とで構成してある。
【００５１】
このように構成されたシールド接触片取付部６２は、図２１に示すように、コネクタハウジング５１の側面部５１Ａにコネクタ長手方向に五カ所にわたって形成してあり、中央のシールド接触片取付部６２は他に比べて幅広にしてある。
【００５２】
接触端子７０は、図１８及び図２９に示すように、取付部７１と、この取付部７１の端側の端子リード部７２と、端子リード部７２とは反対側に９０度に屈曲された固定部７３と、この固定部７３の先側から１８０度の折り返しを行う屈曲連結部７４と、この屈曲連結部７４の先側に形成された接触部７５とから構成してある。この場合、接触部７５は、固定部７３に対してほぼ平行であって、接触部７５と固定部７３との間には隙間７６が存在している。
【００５３】
そして、接触部７５の幅寸法Ｌ１は屈曲連結部７４の幅寸法Ｌ２より大きくしてある。また、固定部７３の幅寸法Ｌ３は接触部７５の幅寸法Ｌ１より小さく、屈曲連結部７４の幅寸法Ｌ２より大きくしてある。
【００５４】
そして、接触端子７０は、コネクタハウジング５１の各端子挿入口５６から挿入されて端子装着溝部５５に装着（圧入）してある。すなわち、接触端子７０は、その取付部７１を端子挿入口５６に圧入状態で挿入し、端子リード部７２を端子挿入口５６から外方に突出させ、固定部７３をモールドストッパ部５５Ａで押えるように固定した状態で、接触部７５をコネクタ嵌合部５４の中心側に向けている。この場合、モールドストッパ部５５Ａは固定部７３と接触部７５との間の隙間７６に挿入してあって、接触部７５が固定部７３側に動かないようになっている。
【００５５】
上記した接触端子７０の取付構造において、固定部７３の幅寸法Ｌ３が、接触部７５の幅寸法Ｌ１より小さくしてあるために、図２９に示すように、接触端子７０間のピッチＰは０．４ｍｍの狭ピッチであっても、隣り合う端子装着溝部５５間のモールド部Ｍを広く取ることができて、このモールド部Ｍのクラックの発生を防止することができる。
【００５６】
シールド部材８０は端側シールド（相手端側シールド）８１と側面側シールド（相手側面側シールド）８２とで構成してある。端側シールド８１は、図２３乃至図２５に示すように、平面コ字形状の主シールド部８３を有しており、この主シールド部８３の両側の屈曲部８４の内面部には接点部（他方の接点部）８５が設けてある。また、主シールド部８３の中央部には湾曲して主シールド部８３に平行するシールド接触片部８７が形成してあり、このシールド接触片部８７に穴状部８８が形成してある。また、主シールド部８３の中央部にはシールド接触片部８７とは反対側に突出させてシールド端子８９が設けてある。
【００５７】
側面側シールド８２は、図２６乃至図２８に示すように、帯状の主シールド部９０を有しており、この主シールド部９０の中央部には切欠き部９１が形成してあり、また、主シールド部９０の切欠き部９１を挟んだ両側に、この主シールド部９０の辺縁部９０ａからＵ字形状に屈曲したシールド接触片部９２がそれぞれ一対形成してあり、このシールド接触片部９２の外面部に接点部９３が突設してある。また、主シールド部９０の両端側には、図２８に示すように、シールド端子９４が主シールド部９０の面部に対して直角に形成して設けてある。そして、主シールド部９０の両端部が接点接触部（他方の接点接触部）９０ａにしてある。
【００５８】
そして、コネクタハウジング５１の端側シールド装着部６０には端側シールド８１が装着してある。すなわち、図１５乃至図１７に示すように、端側シールド８１は、平面コ字形状の主シールド部８３を第１の端側シールド挿入溝部５８に挿入し、主シールド部８３の端部を端側シールド挿入溝部５８の両端部５８ａから突出させて、主シールド部８３の両側の屈曲部８４の接点部８５を側面シールド装着部６０に対向させている。そして、シールド端子部８９とシールド接触片部８７とが第２の端側シールド挿入溝部５９に挿入してある。
【００５９】
また、コネクタハウジング５１の側面側シールド装着部６０には側面側シールド８２が装着してある。すなわち、図１６に示すように、側面側シールド装着部６０には側面側シールド８２の主シールド部９０が沿わせてあって、主シールド部９０はシールド部材受け部６１に支えられており、シールド接触片部９２がシールド接触片取付部６２に取付けてある。この場合、図１９に示すように、シールド接触片部９２が切欠き部６３に被せてあって、シールド接触片部９２の屈曲端部９２ａが溝部６４に挿入してあり、接点部９３をコネクタ嵌合部５４内に突出させている。
【００６０】
そして、主シールド部９０のコネクタ長手方向の両端部の接点接触部９０ａに、端側シールド８１の接点部８５が接触しており、この接点部８５と接点接触部９０ａとの接触点ハは、図３１に示すように四カ所あって、これらの接触点ハで端側シールド８１と側面側シールド８２とは導通していて、一対の端側シールド８１と一対の側面側シールド８２とでコネクタ嵌合部５４は囲まれている。
【００６１】
上記のように構成されたプラグコネクタＢは、そのコネクタハウジング５１の底部に設けられた位置決め用ピンを、プリント配線基板の位置決め用孔（いずれも図示せず）に挿入し、各接触端子７０の端子リード部７２を、プリント配線基板の接点パターン部（図示せず）に載せたクリーム半田に接触させて、リフローにより端子リード部７２が接点パターン部に半田付けされ、また、一対の端側シールド８１と一対の側面側シールド８２とは、それぞれのシールド端子８９、９４を、プリント配線基板のシールドパターン部（図示せず）に載せたクリーム半田に接触させて、リフローによりシールド端子８９、９４がシールドパターン部に半田付けされる。
【００６２】
次に、上記のように構成されたレセプタクルコネクタＡとプラグコネクタＢとの結合を説明する。
【００６３】
レセプタクルコネクタＡのコネクタ嵌合部２をプラグコネクタＢのコネクタ嵌合部５４に嵌合することにより、このレセプタクルコネクタＡのコネクタ嵌合部２に設けた各接触端子２９の接触部２７を、プラグコネクタＢのコネクタ嵌合部５４に設けた多数の接触端子７０の接触部７５に接触させて、レセプタクルコネクタＡにプラグコネクタＢが結合される。
【００６４】
この場合、レセプタクルコネクタＡの端側シールド３１とプラグコネクタＢの端側シールド８１とは、図３２に示すように、シールド接触片部３６の突起部３７がシールド接触片部８７の穴状部８８に挿入してシールド接触片部３６、８７同士が接触することで導通する。また、レセプタクルコネクタＡの側面側シールド４０とプラグコネクタＢの側面側シールド８２とは、図３３に示すように、側面側シールド８２の突起部９３が、側面側シールド４０の穴状部４４に挿入してシールド接触片部９２と主シールド部４１とが接触することで導通する。
【００６５】
シールド接触片部３６の突起部３７がシールド接触片部８７の穴状部８８に挿入され、また、側面側シールド８２のシールド接触片部９２の突起部９３が、側面側シールド４０の穴状部４４に挿入される際に、クリック感が発生して、このクリック感が作業者に伝わることでレセプタクルコネクタＡのシールド部材３０がプラグコネクタＢのシールド部材８０に接触したことが確認される。
【００６６】
また、レセプタクルコネクタＡの相手コネクタ嵌合部２がプラグコネクタＢのコネクタ嵌合部５４に嵌合する際、相手コネクタ嵌合部２の誘込みガイド部２Ａが、コネクタ嵌合部５４の誘込みガイド部５４Ａに接触して相手コネクタ嵌合部２のコネクタ嵌合部５４への嵌合を誘導してレセプタクルコネクタＡとプラグコネクタＢのセンターずれを修正するようになる。
【００６７】
上記した本発明の実施の形態例によれば、レセプタクルコネクタＡにおけるシールド部材３０を、コネクタ嵌合部２を囲む完全シールド構成にすることができるし、また、プラグコネクタＢにおけるシールド部材８０が、コネクタ嵌合部５４を囲む完全シールド構成にすることができる。
【００６８】
このために、レセプタクルコネクタＡとプラグコネクタＢとが、コネクタ嵌合部２、５４を互いに嵌合させて結合した際に、シールドが二重構造になって、ノイズ漏れによる電子機器内のデータやり取りに乱れや通信不能といった不具合の発生を無くすことができる。
【００６９】
また、上記した本発明の実施の形態例によれば、レセプタクルコネクタＡにおいて、コネクタハウジング１のコネクタ短手方向の両端面部６、７とコネクタ嵌合部２との間に端側シールド装着部１２が形成してあって、これらの端側シールド装着部１２に端側シールド３１を装着してあり、また、プラグコネクタＢにおいて、コネクタハウジング５１のコネクタ短手方向の両端面部とコネクタ嵌合部５４との間に端側シールド装着部５７が形成してあって、この端側シールド装着部５７に端側シールド８１を装着してあるために、スペースの有効利用が可能になって、コネクタ全体の小型化に寄与することができる。
【００７０】
また、上記した本発明の実施の形態例によれば、レセプタクルコネクタＡとプラグコネクタＢとが、コネクタ嵌合部２、５４を互いに嵌合させて結合した際に、シールド部材３０、８０同士のそれぞれが互いに接触するが、この際、突起部３７、９３が穴状部８８、４４に挿入されることでクリック感が発生して、このクリック感が作業者に伝わり、シールド部材３０、８０同士が接触したことを確認することができる。
【００７１】
また、上記した本発明の実施の形態例によれば、レセプタクルコネクタＡのコネクタ嵌合部２がプラグコネクタＢのコネクタ嵌合部５４に嵌合する際、コネクタ嵌合部２の誘込みガイド部２Ａが、コネクタ嵌合部５４の誘込みガイド部５４Ａに接触してコネクタ嵌合部２のコネクタ嵌合部５４への嵌合を誘導してレセプタクルコネクタＡとプラグコネクタＢのセンターずれを修正するようになる。
【００７２】
また、上記した本発明の実施の形態例によれば、コネクタ嵌合部５４に多数の端子装着溝部５５を形成して、これらの端子装着溝部５５の両側壁面５５ａ、５５ｂの基部にモールドストッパ部５５Ａを突設して端子把持構造とし、接触端子７０において、その接触部７５の幅寸法Ｌ１が屈曲連結部７４の幅寸法Ｌ２より大きくしてあり、固定部７３の幅寸法Ｌ３は接触部７５の幅寸法Ｌ１より小さく、且つ屈曲連結部７４の幅寸法Ｌ２より大きくしてあり、接触端子７０を端子装着部５５に装着して、固定部７３をモールドストッパ部５５Ａで押えて固定するようにしたことにより、固定部７３の幅寸法Ｌ３が、接触部７５の幅寸法Ｌ１より小さくしてあるために、接触端子７０間のピッチＰは０．４ｍｍの狭ピッチであっても、隣り合う端子装着溝部５５間のモールド部Ｍを広く取ることができて、このモールド部Ｍのクラックの発生を防止することができる。
【産業上の利用可能性】
【００７３】
本発明は、シールド部材がコネクタ嵌合部を囲む完全シールド構成であり、相手シールド部材が相手コネクタ嵌合部を囲む完全シールド構成であるために、一方及び他方のコネクタが、コネクタ嵌合部を相手コネクタ嵌合部に互いに嵌合させて結合した際に、シールドが二重構造になって、ノイズ漏れによる電子機器内のデータやり取りに乱れや通信不能といった不具合の発生を無くすことができるという効果を有し、板状のプリント配線基板同士を互いに接続する電気コネクタ等として有用である。
【図面の簡単な説明】
【００７４】
【図１】本発明に係るシールド付き電気コネクタにおけるレセプタクルコネクタの平面図である。
【図２】同レセプタクルコネクタの側面図である。
【図３】同レセプタクルコネクタの端面図である。
【図４】図１のＣ−Ｃ線に沿う断面図である。
【図５】図１のＤ−Ｄ線に沿う断面図である。
【図６】同レセプタクルコネクタにおけるコネクタハウジングの平面図である。
【図７】同コネクタハウジングの側面図である。
【図８】図６のＥ−Ｅ線に沿う断面図である。
【図９】図６のＦ−Ｆ線に沿う断面図である。
【図１０】レセプタクルコネクタにおける端側シールドの平面図である。
【図１１】同端側シールドの側面図である。
【図１２】レセプタクルコネクタにおける側面側シールドの側面図である。
【図１３】同側面側シールドの平面図である。
【図１４】図１２のＧ−Ｇ線に沿う断面図である。
【図１５】本発明に係るシールド付き電気コネクタにおけるプラグコネクタの平面図である。
【図１６】同プラグコネクタの側面図である。
【図１７】同プラグコネクタの端面図である。
【図１８】図１５のＨ−Ｈ線に沿う断面図である。
【図１９】図１５のＩ−Ｉ線に沿う断面図である。
【図２０】同プラグコネクタにおけるコネクタハウジングの平面図である。
【図２１】同コネクタハウジングの側面図である。
【図２２】図２０のＪ−Ｊ線に沿う断面図である。
【図２３】プラグコネクタにおける端側シールドの平面図である。
【図２４】同端側シールドの側面図である。
【図２５】図２３のＫ−Ｋ線に沿う断面図である。
【図２６】プラグコネクタにおける側面側シールドの平面図である。
【図２７】同側面側シールドの側面図である。
【図２８】図２７のＬ−Ｌ線に沿う断面図である。
【図２９】プラグコネクタにおける接触端子の取付構造の一部省略した斜視図である。
【図３０】レセプタクルコネクタのシールド部材とプラグコネクタのシールド部材を接触させた場合の斜視図である。
【図３１】レセプタクルコネクタのシールド部材とプラグコネクタのシールド部材を接触させた場合の平面図である。
【図３２】レセプタクルコネクタとプラグコネクタとの結合時における端側シールド同士の接触状態の説明図である。
【図３３】レセプタクルコネクタとプラグコネクタとの結合時における側面側シールド同士の接触状態の説明図である。
【図３４】従来のシールド付き電気コネクタにおけるレセプタクルコネクタとプラグコネクタとの結合時における端側シールド同士の接触状態の説明図である。
【符号の説明】
【００７５】
Ａ      レセプタクルコネクタ（一方のコネクタ）
Ｂ      プラグコネクタ（他方のコネクタ）
１      コネクタハウジング
２      コネクタ嵌合部
２Ａ    誘込みガイド部
９      端子装着部
１２    端側シールド装着部
１３    第１の端側シールド挿入溝部
１４    第２の端側シールド挿入溝部
１５    側面側シールド装着部
１６    側面シールド溝部
２０    連絡部（一方の連絡部）
２５    屈曲連結部
２６    弾性付与部
２７    接触部
２９    接触端子
３０    シールド部材
３１    端側シールド
３４    接点部（一方の接点部）
４０    側面側シールド
４４    穴状部
４６    接点接触部（一方の接点接触部）
５１    コネクタハウジング
５４    コネクタ嵌合部（相手コネクタ嵌合部）
５４Ａ  誘込みガイド部
５５    端子装着溝部
５５Ａ  モールドストッパ部
５７    端側シールド装着部（相手端側シールド装着部）
５８    第１の端側シールド挿入溝部（相手端側シールド挿入溝部）
５８ａ  端側シールド挿入溝部の両端部（他方の連絡部）
５９    第２の端側シールド挿入溝部（相手端側シールド挿入溝部）
６０    側面側シールド装着部（相手側面側シールド装着部）
７０    接触端子
７３    固定部
７４    屈曲連結部
７５    接触部
８０    シールド部材（相手シールド部材）
８１    端側シールド（相手端側シールド）
８２    側面側シールド（相手側面側シールド）
８５    接点部（他方の接点部）
８８    穴状部
９０ａ  接点接触部（他方の接点接触部）
９３    突起部
【図１】
2006059589.tif 000003
【図２】
2006059589.tif 000004
【図３】
2006059589.tif 000005
【図４】
2006059589.tif 000006
【図５】
2006059589.tif 000007
【図６】
2006059589.tif 000008
【図７】
2006059589.tif 000009
【図８】
2006059589.tif 000010
【図９】
2006059589.tif 000011
【図１０】
2006059589.tif 000012
【図１１】
2006059589.tif 000013
【図１２】
2006059589.tif 000014
【図１３】
2006059589.tif 000015
【図１４】
2006059589.tif 000016
【図１５】
2006059589.tif 000017
【図１６】
2006059589.tif 000018
【図１７】
2006059589.tif 000019
【図１８】
2006059589.tif 000020
【図１９】
2006059589.tif 000021
【図２０】
2006059589.tif 000022
【図２１】
2006059589.tif 000023
【図２２】
2006059589.tif 000024
【図２３】
2006059589.tif 000025
【図２４】
2006059589.tif 000026
【図２５】
2006059589.tif 000027
【図２６】
2006059589.tif 000028
【図２７】
2006059589.tif 000029
【図２８】
2006059589.tif 000030
【図２９】
2006059589.tif 000031
【図３０】
2006059589.tif 000032
【図３１】
2006059589.tif 000033
【図３２】
2006059589.tif 000034
【図３３】
2006059589.tif 000035
【図３４】
2006059589.tif 000036